(57)【要約】【課題】可視光波長域の光および赤外線波長域の光の両方に対して遮光機能を発揮し得る調光装置を提供する。【解決手段】調光装置１０は、第１調光制御パネル２０と、第１調光制御パネルに少なくとも部分的に対面する位置に配置され且つ第１調光制御パネルに対して相対移動可能な第２調光制御パネル３０と、を有する。第１調光制御パネル及び第２調光制御パネルの両方を透過する可視光波長域の光の透過率は、第１調光制御パネル及び第２調光制御パネルの相対位置に応じて変化する。第１調光制御パネルは、最表面に第１保護シートを有し、第２調光制御パネルは最表面に第２保護シートを有しており、第１保護シートと第２保護シートとが対面するように、第１調光制御パネルと第２調光制御パネルとが配置されている。また、前記第１保護シート及び前記第２保護シートの表面硬度が、鉛筆硬度試験において２Ｈ以上である。【選択図】図１
2017057629.tif 000002
【特許請求の範囲】
【請求項１】
第１調光制御パネルと、
前記第１調光制御パネルに少なくとも部分的に対面する位置に配置され且つ前記第１調
光制御パネルに対して相対移動可能な第２調光制御パネルと、を備え、
前記第１調光制御パネル及び前記第２調光制御パネルの両方を透過する可視光波長域の
光の透過率は、前記第１調光制御パネル及び前記第２調光制御パネルの相対位置に応じて
変化し、
前記第１調光制御パネルは、最表面に第１保護シートを有し、前記第２調光制御パネルは
最表面に第２保護シートを有し、
前記第１保護シートと前記第２保護シートとが対面するように、前記第１調光制御パネルと前記第２調光制御パネルとが配置されており、
前記第１保護シート及び前記第２保護シートの表面硬度が、ＪＩＳ‐Ｋ５６００‐５‐４（１９９９）に規定される引っかき硬度（鉛筆法）試験において、２Ｈ以上であることを特徴とする調光装置。
【請求項２】
前記第１調光制御パネル及び前記第２調光制御パネルが、それぞれ、可視光波長域の透過光の偏光状態を制御する光制御シートを有する、請求項１に記載の調光装置。
【請求項３】
前記第１調光制御パネルの前記光制御シートは、可視光波長域の透過光の偏光状態を互いに異なる状態に制御し且つ交互に繰り返し配列された第１領域及び第２領域を含み、
前記第２調光制御パネルの前記光制御シートは、可視光波長域の透過光の偏光状態を互いに異なる状態に制御し且つ交互に繰り返し配列された第３領域及び第４領域を含む、請求項２に記載の調光装置。
【請求項４】
前記第１保護シート及び前記第２保護シートの位相差が測定角０°および４５°において１０ｎｍ以下であることを特徴とする請求項１〜３のいずれか一項に記載の調光装置。
【発明の詳細な説明】
【技術分野】
【０００１】
本発明は、二つの調光制御パネルを相対移動させることによって調光を行う調光装置に関する。また、本発明は、この調光装置の設置方法に関する。
【背景技術】
【０００２】
例えば特許文献１に示すように、二つの調光制御パネルを相対移動させることによって調光を行う調光装置が知られている。調光装置は、例えば、外光を選択的に遮光及び透過するブラインドやパーテションとして利用される。調光装置は、二つの光制御シートの相対移動により、光透過率の調節を可能にし、遮光と透過の切り換えを実現する。
【０００３】
特開平９−３１０５６７号公報に開示された調光装置では、各調光制御パネルが、特定の直線偏光成分のみを透過させる偏光板を含んでいる。この調光装置では、透過光の偏光状態を制御することによって、二枚の調光制御パネルを介した透視が可能となる明状態と、二枚の調光制御パネルを介した透視が不可能となる暗状態と、を切り替え可能となっている。
【先行技術文献】
【特許文献】
【０００４】
【特許文献１】特開平９−３１０５６７号公報
【発明の概要】
【発明が解決しようとする課題】
【０００５】
ところで、従来の調光装置では、調光制御パネル表面の耐擦傷性が悪く、対面する調光制御パネル同士を相対移動させたときに、傷がつき、見栄えの良さを損なうおそれがあった。すなわち、従来の調光装置には、対面する調光制御パネル同士を相対移動させることによる傷の発生抑制対策は十分なされていなかった。
【０００６】
本発明は、以上の点を考慮してなされたものであって、傷が発生しにくく見栄えの良さが長持ちする調光装置を提供することを目的とする。
【課題を解決するための手段】
【０００７】
本発明による調光装置は
第１調光制御パネルと、
前記第１調光制御パネルに少なくとも部分的に対面する位置に配置され且つ前記第１調光制御パネルに対して相対移動可能な第２調光制御パネルと、を備え、
前記第１調光制御パネル及び前記第２調光制御パネルの両方を透過する可視光波長域光の透過率は、前記第１調光制御パネル及び前記第２調光制御パネルの相対位置に応じて変化し、
前記第１調光制御パネルは、最表面に第１保護シートを有し、前記第２調光制御パネルは最表面に第２保護シートを有し、
前記第１保護シートと前記第２保護シートとが対面するように、前記第１調光制御パネルと前記第２調光制御パネルとが配置されており、
前記第１保護シート及び前記第２保護シートの表面硬度が、ＪＩＳ−Ｋ５６００−５−４（１９９９）に規定される引っかき硬度（鉛筆法）試験において、２Ｈ以上であることを特徴としている。
【０００８】
本発明による調光装置は、
前記第１調光制御パネル及び前記第２調光制御パネルが、それぞれ、可視光波長域の透過光の偏光状態を制御する光制御シートを有していてもよい。
【０００９】
本発明による調光装置は、
前記第１調光制御パネルの前記光制御シートは、可視光波長域の透過光の偏光状態を互いに異なる状態に制御し且つ交互に繰り返し配列された第１領域及び第２領域を含み、
前記第２調光制御パネルの前記光制御シートは、可視光波長域の透過光の偏光状態を互いに異なる状態に制御し且つ交互に繰り返し配列された第３領域及び第４領域を含んでいてもよい。
【００１０】
本発明による調光装置は、
前記第１保護シート及び前記第２保護シートの位相差が測定角４５°において１０ｎｍ以下であってもよい。
【発明の効果】
【００１１】
本発明の調光装置においては、対面する調光制御パネル同士を相対移動させることによる傷の発生を抑制し、見栄えの良さを長持ちさせるという作用効果を奏する。
【図面の簡単な説明】
【００１２】
【図１】図１は、調光装置を示す部分縦断面図である。
【図２】図２は、調光装置に組み込まれた調光制御パネルを示す平面図であって、保護シートが単層のみからなるものである。
【図３】図３は、調光装置の作用を説明するための図である。
【図４】図４は、調光装置の作用を説明するための図である。
【図５】図５は、調光装置に組み込まれた調光制御パネルを示す平面図であって、保護シートが複数層からなるものである。
【図６】図６は、調光制御パネルの領域分割に関する一変形例を示す平面図である。
【発明を実施するための形態】
【００１３】
以下、図面を参照して本発明の一実施の形態について説明する。図１〜図６は本発明による一実施の形態およびその変形例を説明するための図である。なお、本件明細書に添付する図面においては、図示と理解のしやすさの便宜上、適宜縮尺および縦横の寸法比等を、実物のそれらから変更し誇張してある。
【００１４】
なお、本明細書において、「パネル」、「板」、「シート」、「フィルム」の用語は、呼称の違いのみに基づいて、互いから区別されるものではない。例えば、「パネル」は、板、シート、フィルムと呼ばれ得るような部材も含む概念であり、したがって、一例として、「調光制御パネル」は、「調光制御板」、「調光制御シート」、「調光制御フィルム」と呼ばれる部材と呼称の違いのみにおいて区別され得ない。
【００１５】
また、本明細書において用いる、形状や幾何学的条件並びにそれらの程度を特定する、例えば、「平行」、「直交」、「同一」等の用語や長さや角度の値等については、厳密な意味に縛られることなく、同様の機能を期待し得る程度の範囲を含めて解釈することとする。
【００１６】
以下に説明する調光装置１０は、第１調光制御パネル２０及び第２調光制御パネル３０を含んでいる。この調光装置１０では、第１調光制御パネル２０及び第２調光制御パネル３０の相対位置に依存して、第１調光制御パネル２０及び第２調光制御パネル３０の両方を透過する光の透過率を調整し得るようになっている。とりわけ、ここで説明する調光装置１０は、以下において説明するように、第１調光制御パネルと第２調光制御パネルとを相対移動させることによる傷の発生抑制のための工夫がなされている。具体的には、第１調光制御パネルと第２調光制御パネルの最表面に保護シートが設けられおり、第１保護シートと前記第２保護シートとが対面するように、前記第１調光制御パネルと前記第２調光制御パネルとが配置されている。
【００１７】
図１に示すように、第１調光制御パネル２０及び第２調光制御パネル３０は、そのパネル面が平行となり且つ少なくとも部分的にその法線方向に対面するよう、保持されている。また図１及び図５に示すように、第１調光制御パネル２０及び第２調光制御パネル３０は、第１方向ｄａに相対移動可能となるよう、保持されている。図示された例において、調光制御パネル２０，３０は、平面視において矩形形状となるように形成されている。そして、図＊に示すように、相対移動方向である第１方向ｄａは、調光制御パネル２０，３０の一対の側縁と平行となっている。なお、調光装置１０は、第１調光制御パネル２０及び第２調光制御パネル３０とともに、第１調光制御パネル２０及び第２調光制御パネル３０を相対移動可能に保持する図示しない枠装置を含んでいる。
【００１８】
以下、調光装置１０について詳述する。以下に説明する例では、第１調光制御パネル２０及び第２調光制御パネル３０を有する調光装置１０が、室外と室内とを区画する区画部材、例えば窓として使用される例について説明する。とりわけ図示する例では、第１調光制御パネル２０が、室外側に位置して、太陽光の入光面を形成している。
【００１９】
調光装置１０に用いられ得る第１調光制御パネル２０及び第２調光制御パネル１２の一例について、説明する。図１に示された例において、第１調光制御パネル６０は、第１保護シート２６、第１光制御シート２５、接合層２４、第１偏光板２３、接合層２２、第１透明支持板２１を、第２調光制御パネル３０に近接する側からこの順番にて、含んでいる。一方、第２調光制御パネル３０は、第２保護シート３６、第２光制御シート３５、接合層３４、第２偏光板３３、接合層３２お及び第２透明支持板３１を、第１調光制御パネル２０に近接する側からこの順番にて、含んでいる。図示された例においては、第１保護シート２６及び第２保護シート３６は、保護層のみから形成されている。また、入射光側に機能層１５が設けられていてもよい。以下、各層について説明していく。
【００２０】
第１透明支持板２１および第２透明支持板３１は、光制御シート２５，３５及び偏光板２３，３３を支持するための支持体である。第１透明支持板２１および第２透明支持板３１として、例えば可視光に対して優れた透過性を有したガラス、ポリカーボネートやアクリル等の透明な樹脂等を用いることができる。一例として、第１透明支持板２１および第２透明支持板３１の厚みは、２〜４ｍｍ程度に設定される。
【００２１】
第１偏光板２３及び第２偏光板３３は、一方の直線偏光成分の光を高い透過率で透過させるとともに、一方の直線偏光成分と直交する方向に振動する他方の直線偏光成分の光を吸収する機能を有している。本実施の形態において、第１偏光板２３と第２偏光板３３とは、その吸収軸の向きが互いに非平行となっている。とりわけ図示する例では、第１偏光板２３及び第２偏光板３３は、それぞれの吸収軸が互いに直交するようにして、すなわちクロスニコル状態で配置されている。第１偏光板２３及び第２偏光板３３として、ポリビニルアルコールにヨウ素や二色性色素を吸着させてなる広く普及した偏光板を用いることができる。
【００２２】
第１光制御シート２５及び第２光制御シート３５は、透過光の偏光状態を制御可能となっている。図２〜図４に示すように、第１光制御シート２５は、互いに異なる光学特性を有した第１領域Ｚ１及び第２領域Ｚ２を含んでいる。第１光制御シート２５は、第１領域Ｚ１及び第２領域Ｚ２において、透過光の偏光状態を互いに異なる状態に制御する。とりわけ本実施の形態において、第１光制御シート２５は、位相差フィルムとして形成され、第１領域Ｚ１と第２領域Ｚ２との間で、異なる位相変調を透過光に生じさせる。具体的には、第１領域Ｚ１及び第２領域Ｚ２は、共に、リタデーションがλ／４の位相差フィルムからなり、ただし、当該位相差フィルムは、遅相軸が互いに直交するようにして配置されている。したがって、第１光制御シート２５は、第１領域Ｚ１を透過する光に対して「λ／４」の位相変調を引き起こし、第２領域Ｚ２を透過する光に対して「−λ／４」の位相変調を引き起こす。
【００２３】
第２光制御シート３５は、第１光制御シート２５と同様に構成され得る。すなわち、第２光制御シート３５は、互いに異なる光学特性を有した第３領域Ｚ３及び第４領域Ｚ４を含んでいる。第２光制御シート３５は、第３領域Ｚ３及び第４領域Ｚ４において、透過光の偏光状態を互いに異なる状態に制御する。第２光制御シート３５は、位相差フィルムとして形成され、第３領域Ｚ３と第４領域Ｚ４との間で、異なる位相変調を透過光に生じさせる。具体的には、第３領域Ｚ３及び第４領域Ｚ４は、共に、リタデーションがλ／４の位相差フィルムからなり、ただし、当該位相差フィルムは、遅相軸が互いに直交するようにして配置されている。そして、第２光制御シート３５は、第３領域Ｚ３を透過する光に対して「λ／４」の位相変調を引き起こし、第４領域Ｚ４を透過する光に対して「−λ／４」の位相変調を引き起こす。
【００２４】
なお、第１光制御シート２５の第１領域Ｚ１及び第２領域Ｚ２は、第１方向ｄａに交互に隙間なく配置され、第１方向ｄａに沿って同一な幅Ｗを有している。したがって、第１領域Ｚ１及び第２領域Ｚ２は、各領域の幅の二倍「Ｗ×２」となる一定ピッチでそれぞれ第１方向ｄａに配列されている。同様に、第２光制御シート３５の第３領域Ｚ３及び第４領域Ｚ４は、第１方向ｄａに交互に隙間なく配置され、第１方向ｄａに沿って同一な幅Ｗを有している。第３領域Ｚ３及び第４領域Ｚ４は、各領域の幅の二倍「Ｗ×２」となる一定ピッチでそれぞれ第１方向ｄａに配列されている。したがって、第１光制御シート２５及び第２光制御シート３５を第１方向ｄａに相対移動させることにより、第１領域Ｚ１と第３領域Ｚ３とが対面し且つ第２領域Ｚ２と第４領域Ｚ４とが対面する図３の状態と、第１領域Ｚ１と第４領域Ｚ４とが対面し且つ第２領域Ｚ２と第３領域Ｚ３とが対面する図４の状態との間で状態を切り替えることができる。
【００２５】
このような第１光制御シート２５及び第２光制御シート３５は、例えば国際公開第２０１３−０５４６７３号パンフレット、特開２０１２−１３７７２５号公報、または特開２０１２−１９８５２２号公報等に開示されたパターン位相差フィルムとして作製され得る。この例において、第１光制御シート２５は、トリアセチルセルロース等の低リタデーション透光性基材としての第１基材２５１と、第１基材２５１上に形成された第１パターン配向膜２５２と、第１パターン配向膜２５２上に形成された第１パターン位相差層２５３と、を有する。同様に、第２光制御シート３５は、第２基材３５１と、第２基材３５１上に順に形成された第２パターン配向膜３５２及び第２パターン位相差層３５３と、を有する。第１パターン配向膜２５２及び第１パターン位相差層２５３は、第１領域Ｚ１及び第２領域Ｚ２に対応した二つの領域に区分けされる。また、第２パターン配向膜３５２及び第２パターン位相差層３５３は、第３領域Ｚ３及び第４領域Ｚ４に対応した二つの領域に区分けされる。パターン配向膜２５２，３５２は、二つの領域間で、異なる方向に配向規制力を有する。パターン位相差層２５３，３５３は、パターン配向膜２５２，３５２の配向規制力によって二つの領域間で異なる方向に向いた液晶分子を有し、二つの領域間で、異なる位相変調を透過光に生じさせる。
【００２６】
第１保護シート２６及び第２保護シート３６は、それぞれ、第１光制御シート２５又は第２光制御シート３５を保護するためのシートであり、最表面に保護層を有している。例えば、耐擦傷性を付与する観点から、保護シート２６，３６を、隣接する光制御シート２５，３５の基材２５１，３５１の表面よりも高硬度とすることができる。
【００２７】
保護シート層２６，３６は、保護層のみの単層から構成されていてもよいが、図５に示すように複数層から構成されていても構わない。複数層から構成される場合、少なくとも最表面の層に保護層が設けられている。
【００２８】
保護層の材質は、特に限定されるものではないが、硬化性樹脂などを含有する保護層用組成物を用いて形成することができる。前記硬化性樹脂として、例えば、電離放射線硬化型樹脂、熱硬化性樹脂を用いることができる。
【００２９】
本発明の保護層において、上記電離放射線硬化型樹脂としては、例えば、アクリレート系の官能基を有する化合物等の１又は２以上の不飽和結合を有する化合物を挙げることができる。１の不飽和結合を有する化合物としては、例えば、エチル（メタ）アクリレート、エチルヘキシル（メタ）アクリレート、スチレン、メチルスチレン、Ｎ−ビニルピロリドン等を挙げることができる。２以上の不飽和結合を有する化合物としては、例えば、ポリメチロールプロパントリ（メタ）アクリレート、トリプロピレングリコールジ（メタ）アクリレート、ジエチレングリコールジ（メタ）アクリレート、ペンタエリスリトールトリ（メタ）アクリレート、ペンタエリスリトールテトラ（メタ）アクリレート、ジペンタエリスリトールヘキサ（メタ）アクリレート、ジペンタエリスリトールペンタ（メタ）アクリレート、１，６−ヘキサンジオールジ（メタ）アクリレート、ネオペンチルグリコールジ（メタ）アクリレート等及びこれらをエチレンオキサイド（ＥО）等で変性した多官能化合物、又は、上記多官能化合物と（メタ）アクリレート等の反応生成物（例えば多価アルコールのポリ（メタ）アクリレートエステル）等を挙げることができる。なお、本明細書において「（メタ）アクリレート」は、メタクリレート及びアクリレートを指すものである。
【００３０】
上記化合物のほかに、不飽和二重結合を有する比較的低分子量（数平均分子量３００〜８万、好ましくは４００〜５０００）のポリエステル樹脂、ポリエーテル樹脂、アクリル樹脂、エポキシ樹脂、ウレタン樹脂、アルキッド樹脂、スピロアセタール樹脂、ポリブタジエン樹脂、ポリチオールポリエン樹脂等も上記電離放射線硬化型樹脂として使用することができる。なお、この場合の樹脂とは、モノマー以外のダイマー、オリゴマー、ポリマー全てを含む。
本発明における好ましい化合物としては、３以上の不飽和結合を有する化合物が挙げられる。このような化合物を用いると形成する保護シート層の架橋密度を高めることができ、塗硬度を良好にできる。具体的には、本発明においては、ペンタエリスリトールトリアクリレート、ペンタエリスリトールテトラアクリレート、ポリエステル多官能アクリレートオリゴマー（３〜１５官能）、ウレタン多官能アクリレートオリゴマー（３〜１５官能）等を適宜組み合わせて用いることが好ましい。
【００３１】
また、上記保護層用組成物は、熱硬化性樹脂を含有していてもよい。上記熱硬化性樹脂としては特に限定されず、例えば、フェノール樹脂、尿素樹脂、ジアリルフタレート樹脂、メラミン樹脂、グアナミン樹脂、不飽和ポリエステル樹脂、ポリウレタン樹脂、エポキシ樹脂、アミノアルキッド樹脂、メラミン−尿素共縮合樹脂、ケイ素樹脂、ポリシロキサン樹脂等を挙げることができる。
【００３２】
上記保護層用組成物には、保護シート２６，３６の硬度を高くする、帯電を防止する、反射防止性を付与する、防眩性を付与する、粒子や保護シート層表面の性質を変える等の目的に応じて、従来公知の有機微粒子、無機微粒子、分散剤、帯電防止剤、着色防止剤、着色剤（顔料、染料）、赤外線吸収剤、表面改質剤等を添加していてもよい。
【００３３】
例えば、保護層に帯電防止機能を付与した場合には、第１光制御シート２５及び第２光制御シート３５を相対移動させた際の静電気発生を防止し、傷の原因となるゴミや埃等の付着を抑制することができる。保護層に帯電防止機能を付与する方法としては、例えば、保護層に導電性材料を帯電防止剤として添加する方法が挙げられ、導電性材料の例としては、四級アンモニウム塩化合物などの極性基を有する低分子界面活性剤、四級アンモニウム塩化合物などの極性基を有する樹脂、ポリアニリンやポリチオフェンなどの共役系導電性樹脂、銀や酸化インジウムスズなどの金属粒子などを挙げることができる。帯電防止機能を長持ちさせる観点より、樹脂及び金属粒子が好ましく、さらに、光制御シートを相対移動させて削れ落ちても傷付きの原因になり難いので、樹脂がより好ましい。保護層の帯電防止機能としては、表面固有抵抗値が１×１０＾１３Ω未満とすることが、静電気の蓄積を防ぐ観点より好ましい。調光装置は、調光制御パネル同士を相対移動させて用いるため、調光制御パネル同士のこすれによる静電気対策は重要である。また、帯電防止機能を付与する他の手段としては、例えば、保護層に低分子界面活性剤を塗布して保護層の表面に分散させる方法や保護シートの保護層以外の層に導電性材料を添加する方法を挙げることができる。
【００３４】
また、反射防止機能を付与した場合には、光制御シート２５，３５への光の映り込みを効果的に防止することができる。反射防止機能を付与する方法としては、例えば、保護層の表面に凹凸を付与する方法、保護層に保護層の樹脂とは屈折率が異なる粒子を添加する方法、保護シートの保護層以外の層に屈折率が相違する材料を混在させる方法が挙げられる。また、光制御シートと保護層のみからなる保護シートが直接接している場合には、保護層の屈折率を光制御シートの最表面側の層の屈折率よりも低くすることで、保護層を反射防止層として機能させることができる。
【００３５】
また、保護層用組成物に有機微粒子、無機微粒子を添加することで、保護層表面のすべり性を向上させることができ、第１光制御シート２５及び第２光制御シート３５を相対移動させた際の傷の発生抑制することができる。
【００３６】
保護層は、第１光制御シート２５又は第２光制御シート３５上に直接塗布されて形成されていてもよく、接合層を介して接合されていてもよい。直接制御シート上に保護シート用組成物を塗布する方法としては、例えば、スピンコート法、グラビアコート法、ディップ法、スプレー法、ダイコート法、バーコート法、ロールコーター法、メニスカスコーター法、フレキソ印刷法、スクリーン印刷法、ピードコーター法等の公知の方法を挙げることができる。
【００３７】
保護シート２６，３６が、複数層から構成される場合、少なくとも最表面の層である保護層４５１，５５１が設けられている。前記複数層の構成は限定されないが、例えば図５に示すように、基材４５３，５５３上に接合層を介して保護層４５１，５５１が形成されているものを用いることができる。この場合における保護シート２６，３６は、第１光制御シート２５又は第２光制御シート３５上に接合層２７，３７を介して前記基材側に接合するなどして設けることができる。
【００３８】
上記基材４５３，５５３は、特に限定されないが、例えば、トリアセチルセルロース（ＴＡＣ）基材、ポリエステル基材を好ましく用いることができる。上記ポリエステル基材を構成する材料としては、芳香族二塩基酸またはそのエステル形成性誘導体とジオールまたはそのエステル形成性誘導体とから合成される線状飽和ポリエステルである。かかるポリエステルの具体例として、ポリエチレンテレフタレート、ポリエチレンイソフタレート、ポリブチレンテレフタレート、ポリ（１，４−シクロヘキシレンジメチレンテレフタレート）、ポリエチレン−２，６−ナフタレートを例示することができる。
【００３９】
接合層１９，２２，２４，２７，３２，３４，３７，４５２，５５２は、二つの部位を接合するための層であり、十分な接合強度が得られれば特に限定されない。例えば、粘着剤を用いた粘着層や、接着剤を用いた接着層を、接合層１９，２２，２４，２７，３２，３４，３７，４５２，５５２として用いることができる。また、一以上の接合層１９，２２，２７，２４，３２，３４，３７，４５２，５５２に、赤外線遮蔽機能、帯電防止機能等の種々の機能を付与してもよい。
【００４０】
保護シート２６，３６の厚みは、特に限定されないが、１〜１００μｍであることが好ましい。保護シートの厚みをより厚くすることで層間の位相差が広がり、遮蔽性を低下させるおそれがある。
【００４１】
また、本実施の形態の保護シートは、耐擦傷性向上の観点から鉛筆硬度試験において２Ｈ以上であることが好ましく、遮蔽時の光漏れを抑制する観点から、位相差が４５°において１０ｎｍ以下であることが好ましい。また、保護シートのヘイズ値が、０〜５％である場合、ぼやけが発生せず、高い透光性を得ることができる。さらに、保護シートの全光透過率が８０％以上である場合には、優れた採光性能を得ることができる。
【００４２】
本発明の保護シート２６，３６表面は、硬度が、ＪＩＳ  Ｋ５６００−５−４（１９９９）による引っかき硬度（鉛筆法）測定において、２Ｈ〜９Ｈであることが好ましい。２Ｈ以上とすることにより、第１光制御シート２５及び第２光制御シート３５を相対移動させることによる傷の発生を抑制することができる。本実施において、鉛筆はハイユニ（三菱鉛筆株式会社製、１０Ｂ〜１０Ｈ）を使用した。
【００４３】
本発明の保護シート２６，３６は、全光線透過率が８０％以上であることが好ましく、９０％〜１００％の範囲であることがより好ましい。全光線透過率が８０％以上であるとき、より高い採光効率を得ることができる。
【００４４】
上記全光線透過率は、ヘイズメーター（村上色彩技術研究所製、製品番号；ＨＭ−１５０）を用いてＪＩＳ  Ｋ−７３６１６(２０００)に準拠した方法により測定することができる。
【００４５】
本発明の保護シート２６，３６は、ヘイズが０〜５％であることが好ましい。ヘイズを５％以下とすることで、ぼやけの発生を防ぐことができる。
上記ヘイズは、ヘイズメーター（村上色彩技術研究所製、製品番号；ＨＭ−１５０）を用いてＪＩＳ  Ｋ−７１３６(２０００)に準拠した方法により測定することができる。
【００４６】
本発明の保護シート２６，３６は、位相差が０〜１０ｎｍであることが好ましい。位相差を１０ｎｍ以下にすることで、遮蔽時の光漏れを抑制することができる。
上記位相差は、大塚電子株式会社製  ＲＥＴＳ−１００によって測定（測定角０°および４５°、測定波長５００．０ｎｍ）することができる。
【００４７】
このような調光装置１０は、まず図示しない枠体を取り付け位置に設置し、次に、第１調光制御パネル２０及び第２調光制御パネル３０を相対移動可能に枠体に取り付けることにより、設置され得る。調光装置１０は、例えば、建物の開口部、とりわけ窓に設置され得る。
【００４８】
次に、このような構成からなる調光装置１０の作用について説明する。
【００４９】
以上のような第１調光制御パネル２０及び第２調光制御パネル７０の組み合わせにおいては、図３に示すように、第１光制御シート２５の第１領域Ｚ1と第２光制御シート３５の第３領域Ｚ３とが対面し、第１光制御シート２５の第２領域Ｚ２と第２光制御シート３５の第４領域Ｚ４とが対面する場合、第１偏光板２３を透過した一方の直偏光成分の光は、第１光制御シート２５及び第２光制御シート３５の両方を透過した後に、振動方向を９０°回転させる。したがって、図３に示すように、第１光制御シート２５及び第２光制御シート３５の両方を透過した光は、一方の直線偏光成分とは振動方向が直交する他方の直線偏光成分の光となっており、第２偏光板３３を透過することができる。
【００５０】
図３に示された相対位置に第１調光制御パネル２０及び第２調光制御パネル３０が配置されている状態を明状態と呼ぶ。調光装置１０が明状態となっている場合、二つの調光制御パネル２０，３０を介して可視光を取り込むことができる。したがって、調光装置１０を明状態とすることにより、室内に太陽光を採光して、室内を明るくすることができる。また、調光装置１０を明状態とすることにより、当該調光装置１０を介した目視による透視を可能とすることができる。
【００５１】
一方、図３の状態から、第１調光制御パネル２０及び第２調光制御パネル３０が、各領域Ｚ１〜Ｚ４の幅Ｗだけ、第１方向ｄａに相対移動すると、図４に示すように、第１光制御シート２５の第１領域Ｚ1と第２光制御シート３５の第４領域Ｚ４とが対面し、第１光制御シート２５の第２領域Ｚ２と第２光制御シート３５の第３領域Ｚ３とが対面する。この状態において、第１偏光板２３を透過した一方の直線偏光成分の光は、第１光制御シート２５及び第２光制御シート３５の両方を透過した後に、振動方向を維持する。したがって、第１光制御シート２５及び第２光制御シート３５の両方を透過した光は、一方の直線偏光成分の光のままであり、第２偏光板３３で吸収され、第２偏光板３３を透過することはできない。
【００５２】
図４に示された相対位置に第１調光制御パネル２０及び第２調光制御パネル３０が配置されている状態を暗状態と呼ぶ。調光装置１０が暗状態となっている場合、二つの調光制御パネル２０，３０によって、可視光を遮光することができる。したがって、調光装置１０を暗状態とすることにより、調光装置１０を介して室外から室内を目視により透視されることを効果的に防止することができる。
【００５３】
さらに、上述した実施の形態において、第１調光制御パネル２０及び第２調光制御パネル３０の相対移動が、直線移動である例を示した。しかしながら、この例に限られず、図１８に示すように、第１調光制御パネル２０が第２調光制御パネル３０に対して相対回転するようにしてもよい。図１８に示された例における相対回転の回転軸線ｄｃは、第１調光制御パネル２０の法線方向と一致している。また、第１調光制御パネル２０の第１領域Ｚ１及び第２領域Ｚ２は、相対回転の回転軸線ｄｃを中心とする扇形の領域となっている。すなわち、第１領域Ｚ１及び第２領域Ｚ２は、第１調光制御パネル２０及び第２調光制御パネル３０の相対移動方向ｄｂと平行な方向に、交互に配列されていることになる。各第１領域Ｚ１及び第２領域Ｚ２をなす扇形領域の中心角θｘは互いに同一とすることができる。第２調光制御パネル３０は、第１調光制御パネル２０と同様に構成することができる。このような調光装置１０においても、第１調光制御パネル２０及び第２調光制御パネル３０を中心角θｘと同一角度だけ相対回転させることにより、第１領域Ｚ１と第３領域Ｚ３とが対面し且つ第２領域Ｚ２と第４領域Ｚ４とが対面する明状態と、第１領域Ｚ１と第４領域Ｚ４とが対面し且つ第２領域Ｚ２と第３領域Ｚ３とが対面する暗状態との間で、状態を切り替えることができる。
【００５４】
さらに、上述した実施の形態において、第１偏光板２３及び第２偏光板３３が、クロスニコルの状態で配置される例を示したが、これに限られず、第１偏光板２３及び第２偏光板３３が、パラレルニコルの状態で配置されていてもよい。この例では、第１光制御シート２５の第１領域Ｚ1と第２光制御シート３５の第４領域Ｚ４とが対面し、第１光制御シート２５の第２領域Ｚ２と第２光制御シート３５の第３領域Ｚ３とが対面した図４の状態にて、調光装置１０が明状態となる。一方、第１光制御シート２５の第１領域Ｚ1と第２光制御シート３５の第３領域Ｚ３とが対面し、第１光制御シート２５の第２領域Ｚ２と第２光制御シート３５の第４領域Ｚ４とが対面した図３の状態で、調光装置１０が暗状態となる。
【００５５】
さらに、上述した実施の形態において、各光制御シート２５，３５が、互いに異なる位相変調量を有した二つの領域を、繰り返し配列された状態で、有する例を示したが、この例に限られない。各光制御シート２５，３５が、互いに異なる位相変調量を有した三以上の領域を、繰り返し配列された状態で、有するようにしてもよい。この例においては、三以上の領域の位相変調量を、最大差がλ／２となるようにして、漸次変化するように設定してもよい。この例によれば、二枚の光制御シート２５，３５を透過する光の透過率を三段階以上に調節することが可能となる。
【００５６】
さらに、上述した実施の形態において、各調光制御パネル２０，３０が、透過光の偏光状態を制御する光制御シート２５，３５としてパターン位相差フィルムを含み、さらに別途に偏光板２３，３３を含む例を示した。しかしながら、この例に限られず、第１光制御シート２５の第１領域Ｚ1及び第２領域Ｚ２が、共に、偏光板からなり、ただし、当該偏光板は、第１領域Ｚ1及び第２領域Ｚ２において、吸収軸が互いに直交するようにして配置されているようにしてもよい。この例では、第２光制御シート３５の第３領域Ｚ３及び第４領域Ｚ４が、共に、偏光板からなり、ただし、当該偏光板が、第３領域Ｚ３及び第４領域Ｚ４において、吸収軸が互いに直交するようにして配置する。そして、第１光制御シート２５の第１領域Ｚ１での吸収軸と、第２光制御シート３５の第３領域Ｚ３での吸収軸とを平行とする。また、第１光制御シート２５の第２領域Ｚ２での吸収軸と、第２光制御シート３５の第４領域Ｚ４での吸収軸とを平行とする。この変形例では、第１光制御シート２５の第１領域Ｚ１と第２光制御シート３５の第３領域Ｚ３とが対面し、第１光制御シート２５の第２領域Ｚ２と第２光制御シート３５の第４領域Ｚ４とが対面した状態で、調光装置１０は明状態となる。一方、第１光制御シート２５の第１領域Ｚ1と第２光制御シート３５の第３領域Ｚ３とが対面し、第１光制御シート２５の第２領域Ｚ２と第２光制御シート３５の第４領域Ｚ４とが対面した状態で、調光装置１０が暗状態となる。そしてこの例では、上述した第１偏光板２３及び第２偏光板３３は不要とすることができ、調光装置１０の単純化を図ることができる。
【００５７】
なお、以上において上述した実施の形態に対するいくつかの変形例を説明してきたが、当然に、複数の変形例を適宜組み合わせて適用することも可能である。
（実施例）
以下、本発明の調光装置をより具体化した実施例について説明する。
【００５８】
本実施例では、保護層用組成物を基体の片面に塗布し、紫外線照射により硬化させることで保護シートＡ１（厚さ７０μｍ）、保護シートＡ２（厚さ７０μｍ）、保護シートＢ（厚さ７０μｍ）をそれぞれ作製した。
【００５９】
（保護シートＡ１）
保護シートＡ１には、東洋包材株式会社製のハードコートフィルムＳＳ３１００の、基体をＰＥＴフィルムからＴＡＣフィルム（富士フイルム株式会社製、製品番号；ＴＤ６０ＵＣ‐Ｐ、厚さ６０μｍ）に代えたものを使用した。
【００６０】
（保護シートＡ２）
保護シートＡ２には、東洋包材株式会社製のードコートフィルムＳＳ３１００の、基体をＰＥＴフィルムからＺ‐ＴＡＣフィルム（富士フイルム株式会社製、製品番号；ＺＲＤ６０ＳＬ、厚さ６０μｍ）に代えたものを使用した。
【００６１】
（保護シートＢ）
保護シートＢには、下記の保護層用組成物Ｂ、基体としてＴＡＣフィルム（富士フイルム株式会社製、製品番号；ＴＤ６０ＵＣ‐Ｐ、厚さ６０μｍ）を用いた。
【００６２】
保護層用組成物Ｂ、の組成は以下の通りである。
（保護層用組成物Ｂ）
新中村化学工業製のジペンタエリスリトールヘキサアクリレート（ＮＫエステル、６官能）
１００部
溶剤1)；ＭＩＢＫ                                                          ７０部
溶剤2)；ＰＧＭＥＡ                                                        ３０部
光重合開始剤；ＢＡＳＦ製の商品名イルガキュア１２７                      ０．４部
作製した保護シートＡ１、保護シートＡ２、保護シートＢから、上述の実施形態の調光制御パネル２０，３０を作製し、物性測定評価を行った。
【００６３】
まず、作製した保護シートＡ１、保護シートＡ２、保護シートＢについて、鉛筆硬度測定、全光透過率測定、ヘイズ測定、位相差（０°および４５°）測定を上記の方法で行った。また、上記保護シートの耐擦傷性試験を以下の方法で評価した。その後、上記保護シートを光制御シート２５，３５表面に接着剤（綜研化学社製、製品名：ＳＫダイン１４２９ＤＴ、固形分３０％）で貼合することで、調光制御パネル２０，３０を作製した。前記接着剤によって形成された接合層の厚みは２５μｍであった。作製した調光制御パネル２０，３０を用いて調光装置を組み立てた後、透過率測定（０°および４５°）を下記の方法で行い、目視による光漏れ及びぼやけの有無を評価した。前記光漏れの有無は、前記調光装置を遮蔽状態とし、蛍光灯下、正面および斜め４５°から観察を行った。また、前記ぼやけの有無は、前記調光装置を透過状態とし、蛍光灯下、正面および斜め４５°から観察を行った。
【００６４】
本発明の保護シートは、耐擦傷性を学振型摩擦堅牢度試験機（テスター産業株式会社製、製品番号；ＡＢ−３０１）を用いて評価した。試験重荷０．５ｋｇ、ストロークスピード１００ｍｍ／ｓｅｃとし、学振型摩擦堅牢度試験機の試験片台、摩擦子に５ｃｍ四方の調光制御パネルを保護層が対向するように保護シート層を設置し、３０００回擦りを行った。その後、表面を蛍光灯下で観察し、目視により傷の有無を評価した。
【００６５】
本発明の調光制御パネルは、透過率を位相差フィルム・光学材料検査装置（大塚電子株式会社、製品番号；ＲＥＴＳ-１００）を用いて評価した。１０ｃｍ四方、厚さ３ｍｍのガラス板に調光制御パネル２０，３０を貼合し、透過率（測定角０°および４５°）を測定した。
【００６６】
（比較例）
比較例として、保護シート２６，３６として、ＴＡＣフィルム（富士フイルム株式会社製、製品番号；ＴＤ６０ＵＣ‐Ｐ、厚さ６０μｍ）、Ｚ-ＴＡＣフィルム（富士フイルム株式会社製、製品番号；ＺＲＤ６０ＳＬ、厚さ６０μｍ）を単体で使用し、上述の実施形態の調光制御パネル２０，３０を作製すると共に、前記同様の物性評価を行った。
【００６７】
各測定結果および評価結果は、以下の表１及び表２の通りであった。
【００６８】
【表１】
2017057629.tif 000003
上記表１の各測定結果および評価結果から、保護シートの表面硬度（鉛筆硬度）が２Ｈ以上であるとき、調光制御パネルは良好な耐擦傷性を示した。
【００６９】
【表２】
2017057629.tif 000004
さらに、上記表２の各測定結果および評価結果から、保護シートの位相差が０°および４５°においてそれぞれ１０ｎｍ以下であると、保護シートを設けても遮蔽時の光漏れが観察されず、好ましいことがわかる。
【符号の説明】
【００７０】
１０   調光装置
１５   赤外線遮蔽層
１９   接合層
２０   第１調光制御パネル
２１   第１透明支持板
２２   接合層
２３   第１偏光板
２４   接合層
２５   第１光制御シート
２６   保護シート
２７   接合層
３０   第２調光制御パネル
３１   第２透明支持板
３２   接合層
３３   第２偏光板
３４   接合層
３５   第２光制御シート
３６   保護シート
３７   接合層
２５１ 第１基材
２５２ 第１パターン配向膜
２５３ 第１パターン位相差層
３５１ 第２基材
３５２ 第２パターン配向膜
３５３ 第２パターン位相差層
４５１，５５１ 保護層
４５２，５５２ 接合層
４５３，５５３ 基材
Ｚ１   第１領域Ｚ１
Ｚ２   第２領域Ｚ２
Ｚ３   第３領域Ｚ３
Ｚ４   第４領域Ｚ４
ｄａ   第１方向
【図１】
2017057629.tif 000005
【図２】
2017057629.tif 000006
【図３】
2017057629.tif 000007
【図４】
2017057629.tif 000008
【図５】
2017057629.tif 000009
【図６】
2017057629.tif 000010